(57)【要約】【課題】  ノードの増設時にも既設ノード間の管理通信に影響することなく、新たに参入したノードに対してIPアドレスを付与することを可能にすることを目的としている。【解決手段】  リングネットワーク装置において、隣接するリングネットワーク装置と接続しリング型のネットワークを構成するための第１および第２のインタフェース機能部と、自ノードID情報を管理するとともに、第１および第２のインタフェース機能部を介して、前記自ノードID情報を送信する自ノードID送信機能部と、第１および第２のインタフェース機能部を介してそれぞれ受信したノードIDの情報である第１および第２の隣接ノードID情報を管理する隣接ノードID受信機能部と、前記自ノードID情報と第１および第２の隣接ノードID情報とに基づいて、第１および第２のインタフェース機能部に設定するための第１および第２のIPアドレスを決定するIPアドレス決定機能部と、を備えた。【選択図】  図１
2009171398.tif 000002
【特許請求の範囲】
【請求項１】
隣接するリングネットワーク装置と接続しリング型のネットワークを構成することにより通信を行うための第１および第２のインタフェース機能部と、
自装置に設定されたノードID (Identifier) の情報である自ノードID情報を管理するとともに、第１および第２のインタフェース機能部を介して、隣接するリングネットワーク装置に対し前記自ノードID情報を送信する自ノードID送信機能部と、
隣接するリングネットワーク装置から送信されたノードIDの情報を受信し、第１および第２のインタフェース機能部を介してそれぞれ受信したノードIDの情報である第１および第２の隣接ノードID情報を管理する隣接ノードID受信機能部と、
前記自ノードID送信機能で管理された自ノードID情報と前記隣接ノードID受信機能部で管理された第１および第２の隣接ノードID情報とに基づいて第１および第２のIP (Internet Protocol) アドレスを決定するIPアドレス決定機能部と、
前記IPアドレス決定機能部により決定された第１および第２のIPアドレスを第１および第２のインタフェース機能部にそれぞれ設定するIPアドレス設定機能部と、
を備えたことを特徴とするリングネットワーク装置。
【請求項２】
前記IPアドレス決定機能部は、前記自ノードID送信機能で管理された自ノードID情報と前記隣接ノードID受信機能部で管理された第１および第２の隣接ノードID情報とに基づいて、第１および第２のインタフェース機能部を介して接続されるリングネットワーク装置のための第３および第４のIPアドレスを決定し、
前記IPアドレス決定機能部で決定した第３または第４のIPアドレスに対してTCP (Transmission Control Protocol) 接続を行うTCP/IP通信機能部と、
を備えたことを特徴とする請求項１に記載のリングネットワーク装置。
【請求項３】
第１および第２のインタフェース機能部にEthernet（登録商標） over SDH (Synchronous Digital Hierarchy) を採用し、前記自ノードID送信機能部は、SDHフレームのオーバヘッドに含めて前記自ノードID情報を送信し、前記隣接ノードID受信機能部は、SDHフレームのオーバヘッドに含まれる第１および第２の隣接ノードID情報を受信することを特徴とする請求項１または請求項２に記載のリングネットワーク装置。
【請求項４】
第１および第２のインタフェース機能部にEthernet（登録商標）を採用し、前記自ノードID送信機能部は、Ethernet（登録商標）のブロードキャストフレームに含めて前記自ノードID情報を送信し、前記隣接ノードID受信機能部は、Ethernet（登録商標）のブロードキャストフレームに含まれる第１および第２の隣接ノードID情報を受信することを特徴とする請求項１または請求項２に記載のリングネットワーク装置。
【請求項５】
自装置に設定されたノードIDの情報である自ノードID情報を管理するとともに、隣接するリングネットワーク装置と接続しリング型のネットワークを構成することにより通信を行うための第１および第２のインタフェース機能部を介して、隣接するリングネットワーク装置に対し前記自ノードID情報を送信する自ノードID送信ステップと、
隣接するリングネットワーク装置から送信されたノードIDの情報を受信し、第１および第２のインタフェース機能部を介してそれぞれ受信したノードIDの情報である第１および第２の隣接ノードID情報を管理する隣接ノードID受信ステップと、
前記自ノードID送信ステップで管理された自ノードID情報と前記隣接ノードID受信ステップで管理された第１および第２の隣接ノードID情報とに基づいて第１および第２のIPアドレスを決定するIPアドレス決定ステップと、
前記IPアドレス決定ステップにより決定された第１および第２のIPアドレスを第１および第２のインタフェース機能部にそれぞれ設定するIPアドレス設定ステップと、
を備えたことを特徴とする通信方法。
【請求項６】
請求項５に記載の通信方法を電子計算機に実行させるプログラム。
【発明の詳細な説明】
【技術分野】
【０００１】
この発明は、リングネットワークを構成する通信装置としてのリングネットワーク装置、通信方法およびプログラムに関するものである。
【背景技術】
【０００２】
従来、リングネットワークを構成する端末装置（ノード）において、ノードID (Identifier) とネットワーク上のノードの数に基づいて、リングネットワーク内のIP (Internet Protocol) アドレスを自動生成する方法が知られている（特許文献１参照）。
【０００３】
【特許文献１】特開２０００−１３４３６号公報
【発明の開示】
【発明が解決しようとする課題】
【０００４】
特許文献１に開示されている従来のIPアドレス自動生成方法においては、ノードの数に基づいてIPアドレスを生成するので、ノードの増減設時に、全てのノードのIPアドレスが変更となり、増減設と関係ない既設ノード間の管理通信も切断することが必要となるという問題点があった。
【０００５】
この発明は、上述のような課題を解決するためになされたもので、リングネットワークを構成するためのノード装置としてのリングネットワーク装置において、ノード装置の増設時にも既設ノード装置間の管理通信に影響することなく、新たに参入したノード装置に対してIPアドレスを付与することが可能で、管理用TCP/IP (Transmission Control Protocol / Internet Protocol) コネクションの設定を可能にすることを目的としている。
【課題を解決するための手段】
【０００６】
この発明に係るリングネットワーク装置は、隣接するリングネットワーク装置と接続しリング型のネットワークを構成することにより通信を行うための第１および第２のインタフェース機能部と、自装置に設定されたノードID (Identifier) の情報である自ノードID情報を管理するとともに、第１および第２のインタフェース機能部を介して、隣接するリングネットワーク装置に対し前記自ノードID情報を送信する自ノードID送信機能部と、隣接するリングネットワーク装置から送信されたノードIDの情報を受信し、第１および第２のインタフェース機能部を介してそれぞれ受信したノードIDの情報である第１および第２の隣接ノードID情報を管理する隣接ノードID受信機能部と、前記自ノードID送信機能で管理された自ノードID情報と前記隣接ノードID受信機能部で管理された第１および第２の隣接ノードID情報とに基づいて第１および第２のIP (Internet Protocol) アドレスを決定するIPアドレス決定機能部と、前記IPアドレス決定機能部により決定された第１および第２のIPアドレスを第１および第２のインタフェース機能部にそれぞれ設定するIPアドレス設定機能部と、を備えたものである。
【発明の効果】
【０００７】
この発明は、リングネットワークを構成するためのノード装置としてのリングネットワーク装置において、ノード装置の増設時にも既設ノード装置間の管理通信に影響することなく、新たに参入したノード装置に対してIPアドレスを付与することができる。
【発明を実施するための最良の形態】
【０００８】
実施の形態１．
図１は、この発明の実施の形態１によるリングネットワーク装置を示す構成図である。なお、各図において、同一符号は同一または相当部分を示す。図１において、リング型のネットワークを構成するための通信装置（以下ノード装置と呼ぶ）としてのリングネットワーク装置１０１は、管理通信機能部１０２とユーザデータの通信を行うユーザ通信機能部１０７の２つの機能ブロックで構成される。
【０００９】
次に、この発明の実施の形態１の特徴部分となる管理通信機能部１０２の構成について説明する。図１において、管理通信アプリケーション１０３は、ノードID (Identifier) を宛先／送信元とする独自通信用のプロトコルスタックを持つとともに、構成管理及び監視制御の機能を持つアプリケーションである。TCP/IP (Transmission Control Protocol / Internet Protocol) 通信機能部１０４はノード装置間の管理通信アプリケーションが隣接ノード装置と通信する為のTCP/IPのプロトコル動作を実現する。インタフェース機能部１０５は隣接ノード装置とデータを送受信する機能部を持ち、接続方向により第１のインタフェース機能部としてのEAST側インタフェース機能部１０６と、第２のインタフェース機能部としてのWEST側インタフェース機能部１１３の２つの機能部から構成される。各ノード装置間の接続においては隣接するノード装置間でEAST側インタフェース機能部１０６とWEST側インタフェース機能部１１３をそれぞれ接続することで、リングネットワークを構成する。
【００１０】
また、図１において、IPアドレス自動割当機能部１０８は４つの機能部により構成される。自ノードID送信機能部１１１は自装置に事前に設定されたノードIDの情報を保持し、EAST側インタフェース機能部１０６およびWEST側インタフェース機能部１１３を通じて、隣接ノード装置へ送信する機能部である。隣接ノードID受信機能部１１２はインタフェース機能部１０５を介して、隣接ノード装置が自ノードID送信機能部１１１を用いて送信したノードIDの情報を受信し、EAST側インタフェース機能部１０６もしくはWEST側インタフェース機能部１１３から受信したノードIDの情報を区別して格納する機能部である。
【００１１】
また、図１において、IPアドレス決定機能部１１０は自ノードID送信機能部１１１で管理されている自装置のノードIDの情報と、隣接IDノード受信機能部１１２により管理されている、EAST側インタフェース機能部１０６およびWEST側インタフェース機能部１１３からそれぞれ受信したノードIDの情報を用いて、自装置のIPアドレスを決定する。IPアドレス設定機能部１０９はIPアドレス決定機能部１１０により決定されたIPアドレスをTCP/IP通信機能部１０４に設定し、これらの機能部の連携により管理通信アプリケーション１０３が隣接ノード間で通信可能になる。
【００１２】
図２は、この発明の実施の形態１によるリングネットワーク装置により構成されるリングネットワークを示す構成図である。２０１は、自装置のノードIDが１に事前に設定されたリングネットワーク装置（図１におけるリングネットワーク装置１０１に相当するもの）を示している。２０２〜２０４は、自装置のノードIDがそれぞれ２〜４に事前に設定されたリングネットワーク装置を示している。２０５〜２０８は、リングネットワーク装置２０１〜２０４間をそれぞれ接続するリンクを示している。
【００１３】
次に、図３は図２に示したネットワーク構成において、ノードIDが４（各図ではノードID＝４と示す）のリングネットワーク装置２０４とノードIDが１のリングネットワーク装置２０１との間の動作について説明するための説明図である。図３において、リングネットワーク装置２０４とリングネットワーク装置２０１の間はリンク２０８を介して通信可能である。リングネットワーク装置２０４はWEST側インタフェース機能部（図３ではWEST側IFと示す）１１３でリンク２０８に接続され、リングネットワーク装置２０１はEAST側インタフェース機能部１０６でリンク２０８に接続されている。ここで、この発明の実施の形態１によるリングネットワークでは、隣接のリングネットワーク装置間で、それぞれEAST側インタフェース機能部１０６とWEST側インタフェース機能部１１３を接続し、リンクを構成する。この条件によりリンクにはWEST側インタフェース機能部１０６から隣接装置のEAST側インタフェース機能部１１３に向かう方向と、EAST側インタフェース機能部１１３から隣接装置のWEST側インタフェース機能部１０６に向かう方向の２種類の方向が定義できる。ノードIDが４のリングネットワーク装置２０４からノードIDが１のリングネットワーク装置２０１に対し送信されるノードID情報３０１は、ノードIDが４のリングネットワーク装置２０４のWEST側インタフェース機能部１１３から送信され、ノードIDが１のリングネットワーク装置２０１のEAST側インタフェース機能部１０６により受信される。同様にノードIDが１のリングネットワーク装置２０１から送信されるノードID情報３０２は、ノードID１のリングネットワーク装置２０１のWEST側インタフェース機能部１０６から送信され、ノードIDが４のリングネットワーク装置２０４のEAST側インタフェース機能部１１３により受信される。
【００１４】
また、図４は、図１で示した隣接ノードID受信機能部１１２で管理される受信ノードID情報データベース４０１を示す図である。受信ノードID情報データベース４０１はリングネットワーク装置１０１の隣接ノードID受信機能部１１２に実装される。受信ノードID情報データベース４０１はインタフェースの項目４０２に対して、該項目に対応するインタフェースから受信した隣接リングネットワーク装置のノードID情報を、受信ノードID情報の項目４０３として格納する。図４では図２の構成におけるノードIDが１のリングネットワーク装置２０１の受信ノードID情報データベース４０１の例を示しており、EAST側インタフェース機能部１０６から受信した第１の隣接ノードID情報としてのノードIDは「４」、WEST側インタフェース機能部１１３から受信した第２の隣接ノードID情報としてのノードIDは「２」となっている。
【００１５】
また、図５は、IPアドレス決定機能部１１０において、受信ノードID情報データベース４０１に格納された受信ノードID情報を用いて、EAST側インタフェース機能部１０６およびWEST側インタフェース機能部１１３に設定するIPアドレスを決定するための計算例を示すものである。この計算例では図４に示されたノードIDが４のリングネットワーク装置２０４とノードIDが１のリングネットワーク装置２０１の間に設置されたリンク２０８に対して、両端のリングネットワーク装置がそれぞれどのようにしてIPアドレスを決定するかを示している。なお、IPアドレス決定機能部１１０では、各インタフェース機能部に設定するIPアドレスを32bitのビット列として扱い、特定のビット位置にリンクの両端に設定されるリングネットワーク装置のノードIDを設定することでIPアドレスが決定される。
【００１６】
図５に示した計算例では、32bitの情報を31〜0のビット列として扱っている。ビット位置を表すBitの項目５０１にはそれぞれのビット位置の情報を示している。情報の項目５０２にはそれぞれのビット位置５０１に対応する設定項目の内容を示している。ノードIDが１の装置の項目５０３には図３に示した接続構成におけるノードIDが１のリングネットワーク装置２０１のEAST側インタフェース機能部１０６に対応する情報５０２の例を示している。また、ノードIDが４の装置の項目５０４には図３に示した接続構成におけるノードIDが４のリングネットワーク装置２０４のWEST側インタフェース機能部１１３に対応する情報５０２の例を示している。IPアドレスの項目５０５は項目５０３および５０４の各項目の値から、設定すべきIPアドレスを求め10進数表示したものである。ビット位置31〜14にはシステム毎に決定される固定値を設定するが、本計算例では「11000000101010000」を固定値として用いている。ビット13-8にはリンク２０８にEAST側インタフェース１０６で接続するリングネットワーク装置２０１のノードIDとしての１を２進数で設定する。同様にビット位置7-2にはリンク２０８にWEST側インタフェース１１３で接続するリングネットワーク装置２０４のノードIDとしての４を２進数で設定する。これにより、ノードIDが１のリングネットワーク装置２０１のEAST側インタフェース機能部１０６のIPアドレスも、ノードIDが４のリングネットワーク装置２０４のWEST側インタフェース機能部１１３のIPアドレスもビット位置31〜2までは同じ「1100 0000 1010 1000 0000 0001 0001 00」の値を持つ。リンク２０８のサブネットアドレスは192.168.1.0でサブネットマスクは0xfffffffcと規定する。ビット位置1-0はリンク２０８に対して接続しているインタフェースにより値が異なり、リンク２０８にEAST側インタフェース機能部１０６により接続しているリングネットワーク装置２０１のEAST側インタフェース１０６には「01」が設定され、リンク２０８にWEST側インタフェース機能部１１３により接続しているリングネットワーク装置２０４のWEST側インタフェース１１３には「10」が設定される。これにより、それぞれのインタフェース機能部に対して設定するIPアドレス５０５が決定され、本計算例においてはノードIDが１のリングネットワーク装置２０１のEAST側インタフェース機能部１０６には「192.168.1.17」を算出し、ノードIDが４のリングネットワーク装置２０４のWEST側インタフェース機能部１１３には「192.168.1.18」を算出する。
【００１７】
各リングネットワーク装置では上述のアドレス決定方法に基づき、自装置のインタフェースのIPアドレスだけではなく、ビット位置1-0のビットを反転させることで、該インタフェースの対向に接続された隣接リングネットワーク装置のインタフェースのIPアドレスを計算により求めることが可能となる。この動作により、隣接リングネットワーク装置のノードID情報を取得することで、管理用通信の為のTCP/IP通信コネクションを設定することが可能になる。
【００１８】
次に、図６はIPアドレス決定機能部１１０において実行されるIPアドレス決定の為のアルゴリズムを示すフロー図である。本処理は装置の立ち上げ時や、隣接装置のノードIDが変化した場合、あるいは自装置のノードIDの設定が変更された場合に動作する。
【００１９】
図６において、ステップ６０１では32bitの符号なし整数ADR1、ADR2をアドレス格納用の変数として２つ準備する。ステップ６０２ではシステム依存の情報として定義した値（18bit）を14bit左シフトしADR1、ADR2に代入する。図５の例ではシステム依存の値は「1100 0000 1010 1000 00」であるから左に14bitシフトした値は「1100 0000 1010 1000 0000 0000 0000 0000」となる。
【００２０】
ステップ６０３では自装置のEAST側インタフェース機能部１０６に対するアドレス決定ではステップ６０４に処理を分岐させ、WEST側インタフェース１１３に対するアドレス決定ではステップ６０８に処理を分岐させる。
【００２１】
次にEAST側インタフェース機能部１０６のIPアドレスを決定する処理フローに沿って説明を行う。ステップ６０４は自ノードIDの情報を自ノードID送信情報機能部１１１より読み出し、その情報を32bit符号なし整数として定義した後、左に8bitシフトし、ADR1、ADR2とのORを計算して、計算結果を新たにADR1、ADR2に代入するという処理である。図３の構成に基づく場合、ノードIDが１のリングネットワーク装置２０１がこの計算を行っていることになるので、ノードIDは「0000 0000 0000 0000 0000 0000 0000 0001」であり、これを8bit左シフトすると「0000 0000 0000 0000 0000 0001 0000 0000」となる。これと先ほどのADR1、ADR2とのORを計算すると計算結果はADR1、ADR2共に「1100 0000 1010 1000 0000 0001 0000 0000」となる。
【００２２】
ステップ６０５は対向のリングネットワーク装置のノードID情報を、隣接ノードID受信機能部１１２の受信ノードID情報データベース４０１から読み出す処理である。
【００２３】
ステップ６０６はステップ６０５で読み出した対向のリングネットワーク装置のノードIDを32bit符号なし整数として定義した後、左に2bitシフトし、ADR1、ADR2とのORを計算して、計算結果を新たにADR1、ADR2に代入するという処理である。図３の構成に基づく場合、対向のリングネットワーク装置２０４のノードIDである４は「0000 0000 0000 0000 0000 0000 0000 0100」となり、これを2bit左シフトすると「0000 0000 0000 0000 0000 0000  0001 0000」となる。これと先ほどのADR1、ADR2とのORを計算すると計算結果はADR1、ADR2共に「1100 0000 1010 1000 0000 0001 0001 0000」となる。
【００２４】
ステップ６０７は下位2bitの情報によりホストアドレスを決定する処理である。図３の例では、ADR1の下位2bitを01で設定し、ADR2の下位2bitを10で設定する。この処理に基づくとADR１は「1100 0000 1010 1000 0000 0001 0001 0001」、ADR2は「1100 0000 1010 1000 0000 0001 0001 0010」となる。これにより、ステップ６１２において、それぞれ自装置のIPアドレスをADR1=192.168.1.17として決定し、対向装置のIPアドレスをADR2=192.168.1.18として決定する。
【００２５】
次にWEST側インタフェース機能部１１３のIPアドレスを決定する処理フローに沿って説明を行う。ステップ６０８は自ノードIDの情報を自ノードID送信情報機能部１１１より読み出し、その情報を32bit符号なし整数として定義した後、左に2bitシフトし、ADR1、ADR2とのORを計算して、計算結果を新たにADR1、ADR2に代入するという処理である。
【００２６】
ステップ６０９は対向のリングネットワーク装置のノードID情報を、隣接ノードID受信機能部１１２の受信ノードID情報データベース４０１から読み出す処理である。
【００２７】
ステップ６１０はステップ６０９で読み出した対向のリングネットワーク装置のノードIDを32bit符号なし整数として定義した後、左に8bitシフトし、ADR1、ADR2とのORを計算して、計算結果を新たにADR1、ADR2に代入するという処理である。
【００２８】
ステップ６１１は下位2bitの情報によりホストアドレスを決定する処理である。図３の例では、ADR1の下位2bitを10で設定し、ADR2の下位2bitを01で設定する。これにより、ステップ６１２において、それぞれ自装置のIPアドレスをADR1として決定し、対向装置のIPアドレスをADR2として決定する。
【００２９】
これらの動作に基づき隣接装置のノードIDと自装置のノードIDの情報から、自装置および隣接装置のIPアドレスを自動的に計算することが可能になり、ノードIDが取得されたタイミングで自動的に管理通信用TCP/IPコネクションを設定することが可能になる。
【００３０】
以上のように、この発明の実施の形態１によるリングネットワーク装置においては、管理通信用に使用するIPアドレスの設定を、事前設定された自装置の自ノードIDと隣接ノード装置から取得した隣接ノードIDを用いて自動決定し、自装置および隣接ノード装置のインタフェースのIPアドレスを自動的に決定するようにしている。これにより、ノード装置の増設時にも既設ノード装置間の管理通信に影響することなく、新たに参入したノード装置に対してIPアドレスを付与することが可能で、管理用TCP/IPコネクションの設定を可能にすることができる。
【００３１】
実施の形態２．
図７は図３で示した隣接したリングネットワーク装置２０１、２０４間のノードID情報３０１、３０２の送信方法について、リンク２０８においてEthernet（登録商標） over SDH (Synchronous Digital Hierarchy) で通信を行う場合に、ノードID情報の送信を実現するためのフレーム構成を示している。
【００３２】
図７において、７０１はSDHフレーム全体を示しており、７０２はフレーム７０１のうちSDH関連のオーバヘッドの領域を示している。７０３は、この発明の実施の形態２において独自にSDHのペイロード部分に定義したノードID伝達用のオーバへッド領域であり、７０４はEthernet（登録商標） over SDHのペイロードが格納されるエリアを示している。
【００３３】
このフレームフォーマットを使用することにより、隣接ノード間ではSDHの通信が確立した段階で、隣接するリングネットワーク装置のノードIDをお互いに送受信することが可能になる。
【００３４】
以上のように、この発明の実施の形態２によるリングネットワーク装置においては、自ノードID送信機能部１１１は、SDHフレームのオーバヘッドに含めて自ノードID情報を送信し、隣接ノードID受信機能部１１２は、SDHフレームのオーバヘッドに含まれる隣接ノードID情報を受信するようにしている。これにより、実施の形態１と同様の作用効果に加え、隣接ノード間ではSDHの通信が確立した段階で、隣接するリングネットワーク装置のノードIDをお互いに送受信することができる。
【００３５】
実施の形態３．
図８は図３で示した隣接したリングネットワーク装置２０１、２０４間のノードID情報３０１、３０２の送信方法について、リンク２０８においてEthernet（登録商標）通信を行う場合に、ノードID情報の送信を実現するためのフレーム構成を示している。
【００３６】
８０１はEthernet（登録商標）フレーム全体を示しており、８０２はフレーム８０１のうちEthernet（登録商標）フレームのヘッダ領域を示している。８０３は、この発明の実施の形態３において独自に定義する独自プロトコルのヘッダを示している。８０４はノードID情報が格納される領域を示している。
【００３７】
Ethernet（登録商標）ヘッダ８０２に設定される送信元アドレスにはフレーム８０１を送信する装置のMAC (Media Access Control)アドレスが設定され、宛先アドレスにはブロードキャストアドレスが設定される。このフレームフォーマットを使用し、定期的に隣接ノード間でブロードキャストフレームを定期的に送信することで、隣接するリングネットワーク装置のノードIDをお互いに送受信することが可能になる。
【００３８】
以上のように、この発明の実施の形態３によるリングネットワーク装置においては、自ノードID送信機能部１１１は、Ethernet（登録商標）のブロードキャストフレームに含めて自ノードID情報を送信し、隣接ノードID受信機能部１１２は、Ethernet（登録商標）のブロードキャストフレームに含まれる隣接ノードID情報を受信するようにしている。これにより、実施の形態１と同様の作用効果に加え、定期的に隣接ノード間でブロードキャストフレームを定期的に送信することで、隣接するリングネットワーク装置のノードIDをお互いに送受信することができる。
【００３９】
なお、上述の実施の形態１〜３によるリングネットワーク装置に対応する通信方法は、このリングネットワーク装置に配置したマイクロコンピュータ等に実行させる通信プログラムを用いてソフトウエア処理により実現するようにしても良い。
【図面の簡単な説明】
【００４０】
【図１】この発明の実施の形態１によるリングネットワーク装置を示す構成図
【図２】この発明の実施の形態１によるリングネットワーク装置により構成されるリングネットワークを示す構成図
【図３】この発明の実施の形態１によるリングネットワーク装置を説明するための説明図
【図４】この発明の実施の形態１によるリングネットワーク装置を説明するための説明図
【図５】この発明の実施の形態１によるリングネットワーク装置を説明するための説明図
【図６】この発明の実施の形態１によるリングネットワーク装置を説明するための説明図
【図７】この発明の実施の形態２によるリングネットワーク装置を説明するための説明図
【図８】この発明の実施の形態３によるリングネットワーク装置を説明するための説明図
【符号の説明】
【００４１】
１０１、２０１、２０２、２０３、２０４  リングネットワーク装置
１０４  TCP/IP通信機能部
１０６  EAST側インタフェース機能部
１０９  IPアドレス設定機能部
１１０  IPアドレス決定機能部
１１１  自ノードID送信機能部
１１２  隣接ノードID受信機能部
１１３  WEST側インタフェース機能部
【図１】
2009171398.tif 000003
【図２】
2009171398.tif 000004
【図３】
2009171398.tif 000005
【図４】
2009171398.tif 000006
【図５】
2009171398.tif 000007
【図６】
2009171398.tif 000008
【図７】
2009171398.tif 000009
【図８】
2009171398.tif 000010